(57)【要約】      （修正有）【課題】空調システムの容量（または、能力）をトラックの寝台区画の冷却要求に対して最適化し、エネルギーの消費が最小化される空調システム及びその動作方法を提供する。【解決手段】空調システム１０はトラックの主エンジンが動作していないときにトラックの寝台区画１６を冷却するために備えられる。空調システムは可変速コンプレッサー２０、可変速凝縮器ファン２２、可変速蒸発器送風機２４、及び可変速構成要素２０,２２,２４の速度を選択的に調節することによってシステムの冷却容量を寝台区画の冷却要求に対して最適化するように構成されたコントローラー１４を含む。【選択図】図１
2007168775.tif 000002
【特許請求の範囲】
【請求項１】
トラックの寝台区画のための蒸気圧縮空調システムを動作させるための方法であって、前記空調システムは冷却剤の加圧のための可変速コンプレッサー、蒸発器、及び前記蒸発器を通る空気流を方向付けるための可変速送風機を含み：
ａ）前記寝台区画の空気の温度を監視すること；
ｂ）前記蒸発器からの空気流の温度を監視すること；
ｃ）前記コンプレッサーの冷却剤排出圧力を監視すること；
ｄ）冷却剤の過熱を監視すること；
ｅ）ステップａ、ｂ、及びｃの監視に基づいて前記コンプレッサーの速度を調節すること；及び、
ｆ）ステップｄの監視に基づいて前記送風機の速度を調節することのステップを含む方法。
【請求項２】
ステップｅが可変速コンプレッサーへの電圧を調節することを含む、請求項１に記載の方法。
【請求項３】
ステップｆが可変速送風機への電圧を調節することを含む、請求項１に記載の方法。
【請求項４】
ステップｅが前記蒸発器からの空気の温度を露点と比較することを含む、請求項１に記載の方法。
【請求項５】
ステップｅが前記寝台区画の温度を設定温度と比較することを含む、請求項１に記載の方法。
【請求項６】
ステップｅが前記蒸発器からの空気の温度を設定温度と比較することを含む、請求項５に記載の方法。
【請求項７】
ステップｅが前記蒸発器からの空気の温度を露点と比較することをさらに含む、請求項６に記載の方法。
【請求項８】
ステップｆが冷却剤の過冷を照合値と比較することを含む、請求項１に記載の方法。
【請求項９】
ステップｅが排出圧力を照合値と比較することを含む、請求項１に記載の方法。
【請求項１０】
ｇ）冷却剤の過冷を監視すること；及び、
ｈ）ステップｇの監視に基づいて凝縮器ファンの速度を調節することをさらに含む、請求項１に記載の方法。
【請求項１１】
トラックの寝台区画を冷却するために使用するための空調システムであって：
冷却剤流路；
前記冷却剤流路内の冷却剤を加圧するための可変速コンプレッサー；
前記冷却剤流路の前記コンプレッサーより下流側に配置された凝縮器；
前記冷却剤流路の前記凝縮器より下流側に配置された蒸発器；
前記寝台区画を冷却するために前記蒸発器を通して空気流を方向付けるように構成された可変速送風機；
前記寝台区画の空気の温度、前記蒸発器からの空気流の温度、前記コンプレッサーの冷却剤排出圧力；及び前記冷却剤流路内の冷却剤の過熱を監視するための複数のセンサー；及び、
前記センサー、前記コンプレッサー、及び前記送風機に接続されたコントローラーであって、複数の前記センサーから受信された信号に基づいて前記コンプレッサー及び前記送風機の速度を選択的に調節するように構成されたコントローラーを備えるシステム。
【請求項１２】
前記コントローラーが前記寝台区画の空気の温度を示す信号に基づいて前記コンプレッサーの速度を調節するように構成されている、請求項１１に記載のシステム。
【請求項１３】
前記コントローラーが前記蒸発器から出る空気流の温度を示す信号に基づいて前記コンプレッサーの速度を調節するように構成されている、請求項１１に記載のシステム。
【請求項１４】
前記コントローラーが前記コンプレッサーの排出圧力を示す信号に基づいて前記コンプレッサーの速度を調節するように構成されている、請求項１１に記載のシステム。
【請求項１５】
前記コントローラーが前記寝台区画の空気の温度、前記蒸発器から出る空気流の温度、及び前記コンプレッサーの排出圧力を示す信号に基づいて前記コンプレッサーの速度を調節するように構成されている、請求項１１に記載のシステム。
【請求項１６】
前記コントローラーが冷却剤の過熱を示す信号に基づいて前記送風機の速度を調節するように構成されている、請求項１１に記載のシステム。
【請求項１７】
前記凝縮器を通して空気流を方向付けるために構成された可変速凝縮器ファンをさらに備え、前記コントローラーが冷却剤の過冷を示す信号に基づいて前記ファンの速度を調節するように構成されている、請求項１１に記載のシステム。
【請求項１８】
トラックの寝台区画のための蒸気圧縮空調システムを動作させるための方法であって、前記空調システムは冷却剤の加圧のための可変速コンプレッサー、蒸発器、及び前記蒸発器を通る空気流を方向付けるための可変速送風機を備え：
ａ）前記蒸発器からの空気流の温度及び前記コンプレッサーからの冷却剤の排出圧力に基づいて前記コンプレッサーの速度を調節すること；及び、
ｂ）冷却剤の過熱に基づいて前記送風機の速度を調節することのステップを含む方法。
【請求項１９】
ステップｆが前記寝台区画の空気の温度に基づいて前記コンプレッサーの速度を調節することをさらに含む、請求項１８に記載の方法。
【請求項２０】
冷却剤の過冷に基づいて前記可変速凝縮器の速度を調節するステップをさらに含む、請求項１８に記載の方法。
【請求項２１】
トラックの寝台区画を冷却するために使用するための空調システムであって：
冷却剤流路；
前記冷却剤流路内の冷却剤を加圧するための可変速コンプレッサー；
前記冷却剤流路の前記コンプレッサーより下流側に配置された凝縮器；
前記冷却剤流路の前記凝縮器より下流側に配置された蒸発器；
前記寝台区画を冷却するために前記蒸発器を通して空気流を方向付けるように構成された可変速送風機；及び、
前記蒸発器からの空気流の温度、前記コンプレッサーからの冷却剤の排出圧力、及び冷却剤の過熱を示す信号に基づいて前記コンプレッサー及び前記送風機の速度を選択的に調節するように構成されているコントローラーを備えるシステム。
【請求項２２】
前記凝縮器を通して空気流を方向付けるために構成された可変速ファンをさらに備え、前記コントローラーが冷却剤の過冷を示す信号に基づいて前記ファンの速度を調節するように構成されている、請求項２１に記載のシステム。
【発明の詳細な説明】
【技術分野】
【０００１】
本発明は自動車の空調システムに関し、特に、大型トラックの寝台運転室または寝台区画のための空調システムに関する。
【背景技術】
【０００２】
現在、自動車の空調システム、特に大型のトラックの寝台運転室の空調システムはエンジンによって駆動される空調システムを介して与えられている。しかしながら、大気及び騒音の両方の公害に対する関心は、場合によっては、トラックがそれの寝台運転室の空調を動作させるためにそれのエンジンをアイドリングさせることを許可しない状況を作り出している。公害に対する関心に加え、夜通しのアイドリングの燃料にかかる費用は毎年２,４００ドルであり、また、保守にかかる費用は２５０ドルであると推定されている。大気汚染に対し、一台のトラックの一年間のアイドリングは１１３キログラムのＣＯ、２７９キログラムのＮＯX、及び１７トンのＣＯ2を排出すると推定されている。
【０００３】
主エンジンのアイドリングの代わりとなり得る候補は以下のものを含む：ディーゼルエンジンが自動推進型のＡＣコンプレッサー及び交流発電機（オルタネーター）ＤＣ／ＡＣを回転させ、既存の運転室空調、及び既存の自動車用暖房、換気、及び冷房（ＨＡＶＣ）システムと接続して機能する補助電力装置；ディーゼルエンジンが自動車で使用されるＡＣ電気を供給する発電機を駆動する発電設備（ＧＥＮＳＥＴ）；トラックサービスエリアが電気を供給する１２０ＶのＡＣ電気陸上電力；及び、寝台運転室のＨＶＡＣシステムによって使用される付加的なバッテリーが自動車に搭載される補助バッテリー。
【０００４】
電気駆動式の気密状蒸気圧縮空調（Ａ／Ｃ）システムは一般的であるが、自動車にはほとんど使用されていない。この信頼性のある空調供給手段が利用されていない大きな理由は利用可能な電力の不足である。特許文献１等は可変変移コンプレッサーを制御することによって効率を改善することを試みる蒸気圧縮Ａ／Ｃシステムを開示している。
【０００５】
【特許文献１】米国特許６６２２５００号明細書
【発明の開示】
【発明が解決しようとする課題】
【０００６】
したがって、本発明の目的は空調システムの容量（または、能力）を寝台区画の冷却要求に対して最適化し、エネルギーの消費が最小化された空調システムの動作方法を提供することである。また、本発明のもう１つの目的は空調システムの容量（または、能力）を寝台区画の冷却要求に対して最適化し、エネルギーの消費を最小化することが可能な空調システムを提供することである。
【課題を解決するための手段】
【０００７】
本発明の１つの特徴に従うと、トラックの寝台区画のための蒸気圧縮空調システムを動作させるための方法が提供され、前記空調システムは冷却剤の加圧のための可変速コンプレッサー、蒸発器、及び前記蒸発器を通る空気流を方向付けるための可変速送風機を含む。
本発明の方法は：
ａ）寝台区画の空気の温度を監視すること；
ｂ）蒸発器からの空気流の温度を監視すること；
ｃ）コンプレッサーの冷却剤排出圧力を監視すること；
ｄ）冷却剤の過熱（状態）を監視すること；
ｅ）ステップａ、ｂ、及びｃの監視に基づいてコンプレッサーの速度を調節すること；及び、
ｆ）ステップｄの監視に基づいて送風機の速度を調節することのステップを含む。
【０００８】
本発明の１つの特徴として、ステップｅは可変速コンプレッサーへの電圧を調節することを含む。本発明の１つの特徴として、ステップｆは可変速送風機への電圧を調節することを含む。本発明の１つの特徴に従うと、ステップｅは蒸発器からの空気の温度を露点と比較することを含む。
【０００９】
本発明の１つの特徴として、ステップｅは寝台区画の温度を設定温度と比較することを含む。本発明のもう１つの特徴として、ステップｅは蒸発器からの空気の温度を設定温度と比較することをさらに含む。本発明のもう１つの特徴として、ステップｅは蒸発器からの空気の温度を露点と比較することをさらに含む。
【００１０】
本発明の１つの特徴として、ステップｆは冷却剤の過熱（状態）を照合値と比較することを含む。本発明の１つの特徴に従うと、ステップｅは排出圧力を照合値を比較することを含む。
本発明の１つの特徴として、方法はさらに：
ｇ）冷却剤の過冷（状態）を監視すること；及び、
ｈ）ステップｇの監視に基づいて凝縮器のファンの速度を調節することのステップを含む。
【００１１】
本発明の１つの特徴に従うと、トラックの寝台区画を冷却するために使用するための空調システムが提供される。本発明のシステムは：冷却剤流路；冷却剤流路内の冷却剤を加圧するための可変速コンプレッサー；冷却剤流路のコンプレッサーより下流側に配置された凝縮器；冷却剤流路の凝縮器より下流側に配置された蒸発器；寝台区画を冷却するために蒸発器を通して空気流を方向付けるように構成された可変速送風機；寝台区画の空気の温度、蒸発器からの空気流の温度、コンプレッサーの冷却剤排出圧力；及び冷却剤流路内の冷却剤の過熱（状態）を監視するための複数のセンサー；及び、センサー、コンプレッサー、及び送風機に接続されたコントローラーであって、複数のセンサーから受信された信号に基づいてコンプレッサー及び送風機の速度を選択的に調節するように構成されたコントローラーを含む。
【００１２】
本発明の１つの特徴として、コントローラーは寝台区画の空気の温度を示す信号に基づいてコンプレッサーの速度を調節するように構成されている。本発明の１つの特徴として、コントローラーは蒸発器から出る空気流の温度を示す信号に基づいてコンプレッサーの速度を調節するように構成されている。
【００１３】
本発明の１つの特徴に従うと、コントローラーはコンプレッサーの排出圧力を示す信号に基づいてコンプレッサーの速度を調節するように構成されている。本発明の１つの特徴に従うと、コントローラーは寝台区画の空気の温度、蒸発器から出る空気流の温度、及びコンプレッサーの排出圧力を示す信号に基づいてコンプレッサーの速度を調節するように構成されている。
【００１４】
本発明の１つの特徴として、コントローラーは冷却剤の過熱（状態）を示す信号に基づいて送風機の速度を調節するように構成されている。本発明の１つの特徴として、システムは凝縮器を通して空気流を方向付けるために構成された可変速凝縮器ファンをさらに含み、コントローラーは冷却剤の過冷（状態）を示す信号に基づいてファンの速度を調節するように構成されている。
【００１５】
本発明の１つの特徴に従うと、トラックの寝台区画のための蒸気圧縮空調システムを動作させるための方法が提供され、前記空調システムは冷却剤の加圧のための可変速コンプレッサー、蒸発器、及び前記蒸発器を通る空気流を方向付けるための可変速送風機を含む。
本発明の方法は：
ａ）蒸発器からの空気流の温度及びコンプレッサーからの冷却剤の排出圧力に基づいてコンプレッサーの速度を調節すること；及び、
ｂ）冷却剤の過熱（状態）に基づいて送風機の速度を調節することのステップを含む。
【００１６】
本発明の１つの特徴として、ステップａは寝台区画の空気の温度に基づいてコンプレッサーの速度を調節することをさらに含む。本発明の１つの特徴として、方法は冷却剤の過冷（状態）に基づいて可変速凝縮器の速度を調節するステップをさらに含む。
【００１７】
本発明の１つの特徴に従うと、トラックの寝台区画を冷却するために使用するための空調システムが提供される。本発明のシステムは：冷却剤流路；冷却剤流路内の冷却剤を加圧するための可変速コンプレッサー；冷却剤流路のコンプレッサーより下流側に配置された凝縮器；冷却剤流路の凝縮器より下流側に配置された蒸発器；寝台区画を冷却するために蒸発器を通して空気流を方向付けるように構成された可変速送風機；蒸発器からの空気流の温度、コンプレッサーからの冷却剤の排出圧力、及び冷却剤の過熱（状態）を示す信号に基づいてコンプレッサー及び送風機の速度を選択的に調節するように構成されているコントローラーを備える。
【００１８】
本発明の１つの特徴として、システムは凝縮器を通して空気流を方向付けるために構成された可変速凝縮器ファンをさらに含み、コントローラーは冷却剤の過冷（状態）を示す信号に基づいてファンの速度を調節するように構成されている。
【００１９】
本発明の他の目的、特徴、及び長所は以下の詳細な説明、請求の範囲、及び図面から明らかになるだろう。
【発明を実施するための最良の形態】
【００２０】
図１及び２に示されているように、本発明は電気駆動式の気密状蒸気圧縮空調Ａ／Ｃシステム１０を提供する。本発明の気密状蒸気圧縮空調Ａ／Ｃシステム１０は冷却出力を効果的に冷却要求に一致させる電子制御機構またはコントローラー１４を利用することによって、主エンジンを動作させずに、自動車１２内の快適な温度を維持するだろう。
【００２１】
典型的なクラスＨの寝台運転室１６に対する冷却要求を決定するために寝台運転室１６に対して風洞試験及びいくつかの付加的なコンピューター計算を実施した。この結果は図３に示されている。好まれるものとして、本発明に従ったシステム１０はＡ／Ｃシステム１０を最も効率の良い様式で動作させるために冷却出力を冷却要求に正確に一致させる、または一致されることを試みる。
【００２２】
システム１０は電力消費を最小に抑えながら必要に応じた冷却容量（または、冷却能力）を供給するために制御することができる選択された空調構成要素及びセンサーを備える。好まれるものとして、システム１０はコンプレッサー２０、コンプレッサーコントローラー２１、凝縮器ファン２２、及び蒸発器送風機２４を含み、それらの全ては連続的な可変速度で動作する。システム１０はさらに、好まれるものとして、凝縮器２６、拡張弁、温度自動調節拡張弁、オリフィス管、及び好まれるものとして電子制御式拡張弁等の減圧装置２８、並びに蒸発器３０を含み、それらの全てはコンプレッサー２０とともに冷却剤流路３２で直列に接続される。図１には制御操作を決定するために使用される複数のセンサーが示されており、それらはコンプレッサーの排出温度Ｔ１及びコンプレッサーの排出圧力Ｐ１を監視するためのセンサー３４及び３６、コンプレッサーの吸入温度Ｔ２及びコンプレッサーの吸入圧力Ｐ２を監視するためのセンサー３８及び４０、拡張弁入口温度Ｔ３を監視するためのセンサー４２、拡張弁出口温度Ｔ４を監視するためのセンサー４４、蒸発器空気出口温度Ｔ５を監視するためのセンサー４６、及び好まれるものとして自動車の寝台区画の内部温度である自動車内部温度Ｔ６を監視するためのセンサー４７を含む。
【００２３】
図１にはまた、周囲の乾球温度計及び周囲の相対湿度を監視するためのセンサー４８及び４９が示されている。図１にはまた、オペレータ制御部５０が示されており、それは上述のセンサーと同様にコントローラー１４に接続されている。コントローラー１４は好まれるものとして、後で説明する制御アルゴリズムを有するプリント回路板を含む。好まれるものとして、図２に示されているように、システム１０は非アイドリングモードのときにバッテリーパック５２によって電力供給され、アイドリングモードのときに自動車交流発電機５４、バッテリー５６、及び充電器／変換器５８によって電力供給される。好まれるものとして、充電器／変換器５８はユニット及び補助バッテリーの充電のために１２０ボルトＡＣを２４ボルトＤＣに変換する。
【００２４】
図２に示されているように、システムコントローラー１４が好まれるものとして、１２ボルトＤＣで動作するのに対し、可変速コンプレッサー２０、凝縮器ファン２２、及び蒸発器送風機２４は２４ボルトＤＣで動作する。さらに、図示されていないが、電子制御式拡張弁２８がコンプレッサー２０、凝縮器ファン２２、及び蒸発器送風機２４と同様な様式で電子制御機構に接続されてもよい。
【００２５】
図４は電子コントローラーによって使用されるシステムアルゴリズム図を示している。ここで、示されている多様な照合パラメーターの値が特定のシステムに対する現時点での最適な予想値であり、他の特定の用途に対するシステム及び制御機構を最適化するためにこれらの値が変化されてもよいことは理解されなければならない。したがって、寝台温度及び蒸発器出力温度に対する設定温度への調節のための値、蒸発器出力温度対露点比較に対する露点への調節のための値、コンプレッサー排出圧力（Ｐ１）に対する照合圧力値、過冷（ＳＣ）に対する照合値、及び過熱（ＳＨ）に対する照合値が全て、特定のシステムに関連した特定の構成要素及びパラメーターに依存して特定のシステムを最適化するために調節されてもよいことは理解されなければならない。
【００２６】
図４に示されているように、コントローラー１４は寝台区画１６内の空気の温度、蒸発器３０から出力される空気流の温度、コンプレッサー２０の排出圧力Ｐ１、冷却剤の過冷（状態）、及び冷却剤の過熱（状態）に依存してコンプレッサー２０、ファン２２、及び送風機２４の速度を変化させるように構成されている。さらに詳細に述べると、コントローラーは好まれるものとして、設定温度と比較したときの寝台の温度、設定温度と比較したときの蒸発器３０からの空気流の温度、露点と比較したときの蒸発器３０からの空気流の温度、照合圧力と比較したときのコンプレッサー２０からの排出圧力Ｐ１に基づいて、コンプレッサー２０への電圧の増大または減少を介してコンプレッサー２０の速度を調節する。コントローラー１４はまた、照合値と比較したときの冷却剤の過熱に基づいて、送風機２４への電圧の増大または減少を介して送風機２４の速度を調節し、照合値と比較したときの冷却剤の過冷に基づいて、ファン２２への電圧の増大または減少を介してファン２２の速度を調節する。
【００２７】
ここで、特定のシステム構成要素の制御が電力消費の最小化の目的のために（他のシステム構成要素よりの制御よりも）重要であることは理解されなければならない。例えば、コンプレッサーの電圧の制御は電力消費に対して最も重要な影響を有し、送風機の電圧の制御はその次に重要であり、さらに、ファンの電圧の制御はその次に重要であるだろう。この点に関して述べると、いくつかのシステムにおいては、例えば、ファンの電圧の制御等の、優先的でない構成要素を制御しないことが望まれてもよい。そのような場合、アルゴリズムは単に、過冷（ＳＣ）の照合、及びファンの電圧を増大または減少させるための関連する命令を排除することによって変更されてもよい。
【００２８】
本発明に従って構築及び制御されるシステムは試験台自動車に設置され、その特性は風洞内で試験された。図５に示されているように、試験自動車はクラス８の重いトラックであり、壁内に断熱材を有さず、２.０メートルの運転室の幅、２.４メートルの寝台の幅、０.６３平方メートルのフロントガラス領域、０.３１平方メートルの寝台の窓、及び１.８メートル長×２.０メートル幅×３.０メートル高の寝台車体を有していた。試験ユニットは連続的に可変なコンプレッサー２０、凝縮器ファン２２、及び蒸発器送風機２４を含んでいた。また、電子制御式拡張弁ではなく、手動制御式拡張弁２８を使用した。試験システム１０は６１ｃｍ幅×６１ｃｍ高×４１ｃｍ深のモジュールとして構築され、寝台ベッドの下側に設置された。システム構成要素の重量は図７に示されている。
【００２９】
図３には、少なくとも部分的に、試験自動車の風洞試験によって生成された自動車冷却負荷要求が示されており、エンジンのアイドリングの終了後の夜通しの冷却に対する結果が図６に示されている。冷却要求のピークは非アイドリングの初期の時期中に運転室及び寝台の内部を加熱する（エンジンオイルの温度及びラジエーターのタンク上部の温度によって表されている）エンジンの熱の結果によるものである。この試験の結果はコンピューターモデルシミュレーションに組み込まれ、それによりシミュレーション結果と試験結果の間の正確な比較が生成された。
【００３０】
予備的な試験は要求される冷却容量（または、冷却能力）が最小の電気入力によって達成されたことを示した。この試験は外部の周囲の気温が３２°Ｃ／９０°Ｆの状態で寝台区画を２１°Ｃ／７０°Ｆの温度でほぼ８時間維持する能力を示し、８時間の期間にわたって２５００ワット（電気）を必要とした。中間設定の第１の生成ユニットは１２ボルトＤＣ１００アンペア時バッテリーを使用し、６時間の電力（２０００ワット電気）を生成した。中間設定の第２の生成ユニットは１２ボルトＤＣ１２５アンペア時バッテリーを使用し、ほぼ８時間の運転を生成した。
【００３１】
付加的な電圧及び精錬された（または、精密な）制御機構及び冷却剤成分により、延長された寿命を達成することができるだろう。図８は３０°Ｃ（９０°Ｆ）の周囲の外気温度及び４０％の相対湿度における非アイドリングＨＶＡＣモジュールの夜通しの動作の試験結果を示しているグラフである。
【００３２】
図９及び１０はこのシステムに対する最も効果的な動作点の決定のためになされた初期の試験の結果を示している。さらに、図１１は容量に対するコンプレッサーの圧縮比の影響を示しており、図１２は圧力比とアンペア、過熱、コンプレッサー２０の吸入圧力、及びコンプレッサー２０の排出圧力とのを関係付けている表であり、より良好なバッテリー寿命を達成するためのシステム１０の制御方法に対する指標を与える。
【００３３】
上述及び他の試験の結果は無数に可変なコンプレッサー２０及び無数に可変なファン２２及び送風機のモーター２４とともに、システム１０が現在の製造構成要素によるものよりも効果的に動作することができることを示している。
【００３４】
本発明の長所は制御可能な構成要素の適当な選択、及び電力消費を最小にするためにシステムの出力を要求に効果的に一致させる制御を含む。
【図面の簡単な説明】
【００３５】
【図１】トラックの寝台運転室または寝台区画を冷却するために使用するための、本発明を具現化している空調システムのブロック図である。
【図２】図１のシステムのための電気制御の概略図である。
【図３】図１のシステムを使用することができるトラックの寝台区画の比アイドリング冷却要求を図示しているグラフである。
【図４ａ】図１のシステムのための制御アルゴリズム（前半）である。
【図４ｂ】図１のシステムのための制御アルゴリズム（後半）である。
【図５】図１のシステムを使用することができるトラックの側面図である。
【図６】特定の非アイドリング状態中の図５のトラックに関連した特定の温度を示しているグラフである。
【図７】本発明に従って構築された試験システムの重量を示している表である。
【図８】本発明を具現化している試験システムの試験結果を示しているグラフである。
【図９】本発明を具現化しているシステムに対する入力ワット数及び冷却ワット数vs凝縮器の周囲の温度のグラフである。
【図１０】本発明を具現化しているシステムに対する入力ワット数及び冷却ワット数vs凝縮器の周囲の温度のグラフである。
【図１１】本発明を具現化しているシステムに対する冷却能力vs圧縮比のグラフである。
【図１２】本発明を具現化しているシステムの特定のシステムパラメーターを比較している表である。
【符号の説明】
【００３６】
１０    本発明の空調システム
１２    自動車
１４    システムコントローラー
１６    寝台区画
２０    可変速コンプレッサー
２１    コンプレッサーコントローラー
２２    可変速凝縮器ファン
２４    可変速蒸発器送風機
２６    凝縮器
２８    拡張弁
３０    蒸発器
３２    冷却剤流路
３４−４９  センサー
５０    オペレータ制御部
５２    バッテリーパック
５４    自動車交流発電機
５６    バッテリー
５８    充電器／変換器
Ｐ１    コンプレッサー排出圧力
Ｐ２    コンプレッサー吸入圧力
Ｔ１    コンプレッサー排出温度
Ｔ２    コンプレッサー吸入温度
Ｔ３    拡張弁入口温度
Ｔ４    拡張弁出口温度
Ｔ５    蒸発器空気出口温度
Ｔ６    自動車内部温度
【図１】
2007168775.tif 000003
【図２】
2007168775.tif 000004
【図３】
2007168775.tif 000005
【図４ａ】
2007168775.tif 000006
【図４ｂ】
2007168775.tif 000007
【図５】
2007168775.tif 000008
【図６】
2007168775.tif 000009
【図７】
2007168775.tif 000010
【図８】
2007168775.tif 000011
【図９】
2007168775.tif 000012
【図１０】
2007168775.tif 000013
【図１１】
2007168775.tif 000014
【図１２】
2007168775.tif 000015